(57)【要約】      （修正有）【課題】配布条件や広告内容の変更に対して柔軟に対応することのできるジョブ管理サーバー及び広告配布システムを提供する。【解決手段】サーバー５はチラシ配布ジョブを受信すると、その登録情報Ｄ２を画像形成装置３等に通知する。この装置３等は該情報Ｄ２を自機の所有者等に報知し、報知を受けた配布作業者が配布可能枚数を含む請負情報を装置３に入力すると、該装置３はこの請負情報をサーバー５に送信し、サーバー５はその装置３に広告チラシのコンテンツデータ等を送信する。装置３は該受信データに基づいて広告チラシを印刷する。サーバー５は、配布作業の完了通知を画像形成装置３から受けると、当該ジョブの配布完了枚数を更新する。そして、サーバー５は当該ジョブについての配布完了枚数が当該ジョブで指定される配布依頼枚数に達するまで、配布依頼者による当該チラシ配布ジョブの内容変更を受け付ける。【選択図】図１
2014232416.tif 000002
【特許請求の範囲】
【請求項１】
画像形成装置とネットワークを介して接続され、前記画像形成装置に対して広告チラシに含まれるコンテンツデータを送信して印刷出力を行わせることにより、広告チラシの配布枚数が指定されたチラシ配布ジョブの実行を管理するジョブ管理サーバーであって、
広告チラシに含まれるコンテンツデータを含み、配布枚数が指定されたチラシ配布ジョブを受け付けるジョブ受付手段と、
前記ジョブ受付手段により受け付けられたチラシ配布ジョブを記憶するジョブ記憶手段と、
前記ジョブ記憶手段にチラシ配布ジョブが登録されることに伴い、当該チラシ配布ジョブで指定された配布枚数のうちの配布完了枚数を管理する進捗状況管理手段と、
前記ジョブ記憶手段にチラシ配布ジョブが登録されることに伴い、前記画像形成装置又はチラシ配布業務を行うことが予め登録された配布作業者の通信端末に対し、当該チラシ配布ジョブの登録情報を通知する通知手段と、
前記通知手段による通知が行われた後、前記画像形成装置から配布可能枚数が指定された請負情報を受け付ける請負情報受付手段と、
前記請負情報受付手段によって請負情報が受け付けられることに伴い、前記画像形成装置に対し、広告チラシのコンテンツデータを送信し、該請負情報で指定された配布可能枚数分の印刷出力を行わせる出力制御手段と、
を備え、
前記進捗状況管理手段は、前記出力制御手段の制御によって配布可能枚数分の広告チラシの印刷出力が前記画像形成装置で行われることに伴って前記配布完了枚数を更新し、
前記ジョブ受付手段は、前記進捗状況管理手段によって更新される前記配布完了枚数が当該チラシ配布ジョブで指定された配布枚数に達するまでの間、前記ジョブ記憶手段に記憶した当該チラシ配布ジョブの内容変更を受け付けることを特徴とするジョブ管理サーバー。
【請求項２】
前記画像形成装置は、複数のエリアのそれぞれに少なくとも１つ配置されており、
前記ジョブ受付手段は、前記複数のエリアのうちの配布エリアと、配布エリア毎の配布枚数とが指定されたチラシ配布ジョブを受け付け、
前記進捗状況管理手段は、前記ジョブ記憶手段にチラシ配布ジョブが登録されることに伴い、当該チラシ配布ジョブで指定された配布エリア毎の配布枚数のうちの配布完了枚数を管理し、
前記通知手段は、前記ジョブ記憶手段にチラシ配布ジョブが登録されることに伴い、前記複数の画像形成装置のうちの当該チラシ配布ジョブで指定された配布エリアに位置する画像形成装置、又は、当該チラシ配布ジョブで指定された配布エリアでのチラシ配布業務を行うことが予め登録された配布作業者の通信端末に対し、当該チラシ配布ジョブの登録情報を通知し、
前記請負情報受付手段は、前記通知手段による通知が行われた後、当該チラシ配布ジョブで指定された配布エリアに位置する画像形成装置から配布可能枚数が指定された請負情報を受け付け、
前記出力制御手段は、前記請負情報受付手段によって請負情報が受け付けられることに伴い、当該請負情報を送信した画像形成装置に対し、広告チラシのコンテンツデータを送信し、該請負情報で指定された配布可能枚数分の印刷出力を行わせ、
進捗状況管理手段は、前記出力制御手段の制御によって配布可能枚数分の広告チラシの印刷出力が行われることに伴い、当該配布エリアにおける配布完了枚数を更新し、
前記ジョブ受付手段は、前記進捗状況管理手段によって更新される各配布エリアの配布完了枚数が当該チラシ配布ジョブで指定された配布枚数に達することによって当該チラシ配布ジョブの実行が完了するまでの間、前記ジョブ記憶手段に記憶した当該チラシ配布ジョブの内容変更を受け付けることを特徴とする請求項１に記載のジョブ管理サーバー。
【請求項３】
前記複数の画像形成装置のうち、稼働状態である画像形成装置を検知する検知手段をさらに備え、
前記通知手段は、チラシ配布ジョブで指定された配布エリアに位置する画像形成装置に対して当該チラシ配布ジョブの登録情報を通知する際、当該配布エリアに位置する複数の画像形成装置のうち、前記検知手段によって稼働状態であることが検知される画像形成装置に対して通知することを特徴とする請求項２に記載のジョブ管理サーバー。
【請求項４】
チラシ配布業務を行うことが登録された配布作業者の通信端末と、該配布作業者の配布作業可能エリア、配布作業可能時間又は配布作業経験に関する情報とを互いに関連づけた配布作業者情報を記憶する配布作業者情報記憶手段を更に備え、
前記通知手段は、予め登録された配布作業者の通信端末に対してチラシ配布ジョブの登録情報を通知する際、前記配布作業者情報に基づいて通知先となる通信端末を選択して送信することを特徴とする請求項２又は３に記載のジョブ管理サーバー。
【請求項５】
前記進捗状況管理手段は、配布可能枚数分の広告チラシの印刷出力が行われた前記画像形成装置からチラシ配布作業完了通知を受信することを条件として、前記配布完了枚数を更新することを特徴とする請求項１乃至４の何れか一項に記載のジョブ管理サーバー。
【請求項６】
前記画像形成装置は、用紙に印刷された画像を読み取る画像読取手段を有し、
前記出力制御手段は、前記画像形成装置において請負情報で指定された配布可能枚数分の広告チラシの印刷出力を行わせる際に、該請負情報を記載した請負票を広告チラシとは別に前記画像形成装置に印刷出力させ、
前記進捗状況管理手段は、前記請負票の印刷出力を行った前記画像形成装置から前記請負票を読み取った画像データを前記チラシ配布作業完了通知として受信し、当該画像データに含まれる請負情報で指定された配布可能枚数分のチラシ配布作業が終了したことを検知して当該チラシ配布ジョブで指定された配布枚数のうちの配布完了枚数を更新することを特徴とする請求項５に記載のジョブ管理サーバー。
【請求項７】
前記請負情報受付手段は、前記進捗状況管理手段によってチラシ配布作業が終了したことを検知する要因となった画像データと同一画像データを再度受信した場合に、当該受信画像データに含まれる請負情報を再度受け付けることを特徴とする請求項６に記載のジョブ管理サーバー。
【請求項８】
前記進捗状況管理手段は、前記画像形成装置において配布可能枚数分の広告チラシの印刷出力が行われてから所定時間経過後に前記チラシ配布作業完了通知を受信することを条件として当該チラシ配布作業が正常に終了したことを検知し、前記配布完了枚数を更新することを特徴とする請求項５乃至７の何れか一項に記載のジョブ管理サーバー。
【請求項９】
前記進捗状況管理手段は、前記チラシ配布作業完了通知を受信することに伴い、当該配布作業者の通信端末から移動履歴情報を取得し、該移動履歴情報に基づいて当該チラシ配布作業が正常に終了したことを検知して前記配布完了枚数を更新することを特徴とする請求項５乃至８の何れか一項に記載のジョブ管理サーバー。
【請求項１０】
チラシ配布作業によって配布された広告チラシに基づく商品又はサービスの発注情報を受け付ける受注手段と、
前記受注手段によって受け付けられる発注情報に基づき、当該チラシ配布ジョブのチラシ配布作業を行ったチラシ配布作業者に対して支払うべき報酬額を決定する報酬決定手段と、
を更に備えることを特徴とする請求項１乃至９の何れか一項に記載のジョブ管理サーバー。
【請求項１１】
前記出力制御手段は、配布可能枚数分の広告チラシの印刷出力を前記画像形成装置に行わせる際、当該配布可能枚数分のチラシ配布作業を請け負うチラシ配布作業者を識別する作業者識別情報を広告チラシに印刷させ、
前記受注手段は、前記画像形成装置において印刷出力された広告チラシを読み取ってファクシミリ送信される画像データを前記発注情報として受け付け、
前記報酬決定手段は、前記画像データに含まれる作業者識別情報に基づいて前記報酬額を支払うべきチラシ配布作業者を特定することを特徴とする請求項１０に記載のジョブ管理サーバー。
【請求項１２】
画像形成装置とジョブ管理サーバーがネットワークを介して接続され、前記ジョブ管理サーバーが前記画像形成装置に対して広告チラシに含まれるコンテンツデータを送信して印刷出力を行わせることにより、広告チラシの配布枚数が指定されたチラシ配布ジョブを配布作業者に実行させる広告配布システムであって、
前記ジョブ管理サーバーは、
広告チラシに含まれるコンテンツデータを含み、配布枚数が指定されたチラシ配布ジョブを受け付けるジョブ受付手段と、
前記ジョブ受付手段により受け付けられたチラシ配布ジョブを記憶するジョブ記憶手段と、
前記ジョブ記憶手段にチラシ配布ジョブが登録されることに伴い、当該チラシ配布ジョブで指定された配布枚数のうちの配布完了枚数を管理する進捗状況管理手段と、
前記ジョブ記憶手段にチラシ配布ジョブが登録されることに伴い、前記画像形成装置に対し、当該チラシ配布ジョブの登録情報を通知する通知手段と、
を備え、
前記画像形成装置は、
前記ジョブ管理サーバーから通知されたチラシ配布ジョブの発生を報知する報知手段と、
前記報知手段により報知されたチラシ配布ジョブの一部又は全部を請け負う旨の請負情報を入力するための請負情報入力操作手段と、
前記請負情報入力操作手段により入力された請負情報を前記ジョブ管理サーバーに送信する請負情報送信手段と
を備え、
前記ジョブ管理サーバーは、
前記画像形成装置による通知が行われた後、前記画像形成装置から配布可能枚数が指定された請負情報を受け付ける請負情報受付手段と、
前記請負情報受付手段によって請負情報が受け付けられることに伴い、前記画像形成装置に対し、広告チラシのコンテンツデータを送信し、該請負情報で指定された配布可能枚数分の印刷出力を行わせる出力制御手段と
を備え、
前記進捗状況管理手段は、前記出力制御手段の制御によって配布可能枚数分の広告チラシの印刷出力が前記画像形成装置で行われることに伴って前記配布完了枚数を更新し、
前記ジョブ受付手段は、前記進捗状況管理手段によって更新される前記配布完了枚数が当該チラシ配布ジョブで指定された配布枚数に達するまでの間、前記ジョブ記憶手段に記憶した当該チラシ配布ジョブの内容変更を受け付けることを特徴とする広告配布システム。
【発明の詳細な説明】
【技術分野】
【０００１】
本発明は、チラシやパンフレット等の広告チラシを人や住宅のポストに配布する業務を管理するシステムに関する技術分野に属する。
【背景技術】
【０００２】
飲食店や商店などの店舗が、集客を目的として、イラスト、フレーズ、店舗の名称、所在地、電話番号などを含むコンテンツを印刷したチラシやパンフレット等の広告チラシを用いて宣伝を行うことが行われている。その広告チラシは、配布依頼者である店舗の従業員若しくは外部委託した配布業者により、人が集まる駅周辺や施設周辺などで配布されたり住宅の郵便ポストに投函されたりする。
【０００３】
広告チラシの配布作業を配布業者に外部委託する場合の広告チラシの配布システムに関する技術文献として、例えば下記特許文献１，２がある。
【０００４】
特許文献１には、チラシ依頼者がＰＣを用いて印刷会社にチラシの制作及び配布を依頼し、印刷会社はＰＣを介してその依頼をチラシ依頼者から受けてチラシデータを作成し、ＰＣを用いてそのチラシデータをチラシ配信会社に送りそのチラシの配布をチラシ配信会社に依頼することが記載されている。また、チラシ配信会社は、チラシデータを受け取って新聞販売店に送信し、そのチラシデータのチラシの配布を新聞販売店に依頼し、新聞販売店は、チラシ配信会社から受け取ったチラシデータに基づきチラシを印刷して新聞購読者に配布する点が開示されている。
【０００５】
また、特許文献２には、配布者ＰＣを用いて配布者が広告以外の画像や文章を掲載した広告付与前の配布物をサーバーに登録し、その配布物に広告を掲載したい広告主を募る点が記載されている。また、広告主がその配布物に掲載したい広告を広告主ＰＣでサーバーに登録すると、サーバーはその広告が付加された配布物の印刷データを作成して配布者ＰＣに提供し、その印刷データに基づく印刷によって作成された広告付きの配布物を配布者が第三者に配布する点が開示されている。
【先行技術文献】
【特許文献】
【０００６】
【特許文献１】特開２００２−３０４５７１号公報
【特許文献２】特開２０１２−０１４３８１号公報
【発明の概要】
【発明が解決しようとする課題】
【０００７】
しかしながら、このようなシステムでは、配布依頼者が配布依頼後に配布条件や広告内容を変更したいと考えても、その変更を簡単に行うことができないという問題があった。
【０００８】
すなわち、特許文献１においては、配布依頼者がコンテンツを変更しようと考えた場合、まず、チラシ依頼者が印刷会社にチラシの変更を依頼し、印刷会社は、その変更指示にしたがってチラシのコンテンツを変更する。印刷会社は、その変更後のチラシデータをチラシ配信会社に送りその変更後のチラシの再配布をチラシ配信会社に依頼する。チラシ配信会社は、変更後のチラシデータを受け取って新聞販売店に送信し、新聞販売店は、配布対象を変更前のチラシから変更後のチラシに差し替えて配布する、若しくは、チラシ（変更後のチラシ）を再配布することになる。
【０００９】
このように、特許文献１では、コンテンツの変更を行おうとすると、印刷会社、チラシ配信会社及び新聞販売店の各業者において、コンテンツの変更に伴う何らかの作業や処理が必要となり、多大な手間暇を要する。また、複数の業者における作業や処理を経るため、配布依頼者からコンテンツの変更依頼があってから変更後のチラシが新聞販売店により配布されるまでに比較的大きなタイムラグが生じる。すなわち、配布対象のチラシをすぐに変更後のものに差し替えたり、変更後のチラシを再配布したりすることが困難で、コンテンツの変更依頼に対して迅速に対応することができない。
【００１０】
特許文献２においては、広告部分以外の画像や文章を掲載した配布物の作成者と、配布物を配布する配布者とが同一であり、配布者（作成者）と広告主との間に介在する者がないため、配布条件や広告内容の変更に対してある程度柔軟に対応できると考えられる。
【００１１】
しかしながら、特許文献２においては、配布物の作成者と配布物を配布する配布者とが同一であるため、配布者が限定され、配布作業者を多数募ることができない。
【００１２】
本発明は、このような課題に鑑みてなされたものであり、配布条件や広告内容の変更に対して柔軟に対応することのできるジョブ管理サーバー及び広告配布システムを提供することを目的とする。
【課題を解決するための手段】
【００１３】
前記目的を達成するため、請求項１に記載の発明は、画像形成装置とネットワークを介して接続され、前記画像形成装置に対して広告チラシに含まれるコンテンツデータを送信して印刷出力を行わせることにより、広告チラシの配布枚数が指定されたチラシ配布ジョブの実行を管理するジョブ管理サーバーであって、広告チラシに含まれるコンテンツデータを含み、配布枚数が指定されたチラシ配布ジョブを受け付けるジョブ受付手段と、前記ジョブ受付手段により受け付けられたチラシ配布ジョブを記憶するジョブ記憶手段と、前記ジョブ記憶手段にチラシ配布ジョブが登録されることに伴い、当該チラシ配布ジョブで指定された配布枚数のうちの配布完了枚数を管理する進捗状況管理手段と、前記ジョブ記憶手段にチラシ配布ジョブが登録されることに伴い、前記画像形成装置又はチラシ配布業務を行うことが予め登録された配布作業者の通信端末に対し、当該チラシ配布ジョブの登録情報を通知する通知手段と、前記通知手段による通知が行われた後、前記画像形成装置から配布可能枚数が指定された請負情報を受け付ける請負情報受付手段と、前記請負情報受付手段によって請負情報が受け付けられることに伴い、前記画像形成装置に対し、広告チラシのコンテンツデータを送信し、該請負情報で指定された配布可能枚数分の印刷出力を行わせる出力制御手段と、を備え、前記進捗状況管理手段は、前記出力制御手段の制御によって配布可能枚数分の広告チラシの印刷出力が前記画像形成装置で行われることに伴って前記配布完了枚数を更新し、前記ジョブ受付手段は、前記進捗状況管理手段によって更新される前記配布完了枚数が当該チラシ配布ジョブで指定された配布枚数に達するまでの間、前記ジョブ記憶手段に記憶した当該チラシ配布ジョブの内容変更を受け付けることを特徴とするものである。
【００１４】
請求項２に記載の発明は、請求項１に記載のジョブ管理サーバーにおいて、前記画像形成装置は、複数のエリアのそれぞれに少なくとも１つ配置されており、前記ジョブ受付手段は、前記複数のエリアのうちの配布エリアと、配布エリア毎の配布枚数とが指定されたチラシ配布ジョブを受け付け、前記進捗状況管理手段は、前記ジョブ記憶手段にチラシ配布ジョブが登録されることに伴い、当該チラシ配布ジョブで指定された配布エリア毎の配布枚数のうちの配布完了枚数を管理し、前記通知手段は、前記ジョブ記憶手段にチラシ配布ジョブが登録されることに伴い、前記複数の画像形成装置のうちの当該チラシ配布ジョブで指定された配布エリアに位置する画像形成装置、又は、当該チラシ配布ジョブで指定された配布エリアでのチラシ配布業務を行うことが予め登録された配布作業者の通信端末に対し、当該チラシ配布ジョブの登録情報を通知し、前記請負情報受付手段は、前記通知手段による通知が行われた後、当該チラシ配布ジョブで指定された配布エリアに位置する画像形成装置から配布可能枚数が指定された請負情報を受け付け、前記出力制御手段は、前記請負情報受付手段によって請負情報が受け付けられることに伴い、当該請負情報を送信した画像形成装置に対し、広告チラシのコンテンツデータを送信し、該請負情報で指定された配布可能枚数分の印刷出力を行わせ、進捗状況管理手段は、前記出力制御手段の制御によって配布可能枚数分の広告チラシの印刷出力が行われることに伴い、当該配布エリアにおける配布完了枚数を更新し、前記ジョブ受付手段は、前記進捗状況管理手段によって更新される各配布エリアの配布完了枚数が当該チラシ配布ジョブで指定された配布枚数に達することによって当該チラシ配布ジョブの実行が完了するまでの間、前記ジョブ記憶手段に記憶した当該チラシ配布ジョブの内容変更を受け付けることを特徴とするものである。
【００１５】
請求項３に記載の発明は、請求項２に記載のジョブ管理サーバーにおいて、前記複数の画像形成装置のうち、稼働状態である画像形成装置を検知する検知手段をさらに備え、前記通知手段は、チラシ配布ジョブで指定された配布エリアに位置する画像形成装置に対して当該チラシ配布ジョブの登録情報を通知する際、当該配布エリアに位置する複数の画像形成装置のうち、前記検知手段によって稼働状態であることが検知される画像形成装置に対して通知することを特徴とするものである。
【００１６】
請求項４に記載の発明は、請求項２又は３に記載のジョブ管理サーバーにおいて、チラシ配布業務を行うことが登録された配布作業者の通信端末と、該配布作業者の配布作業可能エリア、配布作業可能時間又は配布作業経験に関する情報とを互いに関連づけた配布作業者情報を記憶する配布作業者情報記憶手段を更に備え、前記通知手段は、予め登録された配布作業者の通信端末に対してチラシ配布ジョブの登録情報を通知する際、前記配布作業者情報に基づいて通知先となる通信端末を選択して送信することを特徴とするものである。
【００１７】
請求項５に記載の発明は、請求項１乃至４の何れか一項に記載のジョブ管理サーバーにおいて、前記進捗状況管理手段は、配布可能枚数分の広告チラシの印刷出力が行われた前記画像形成装置からチラシ配布作業完了通知を受信することを条件として、前記配布完了枚数を更新することを特徴とするものである。
【００１８】
請求項６に記載の発明は、請求項５に記載のジョブ管理サーバーにおいて、前記画像形成装置は、用紙に印刷された画像を読み取る画像読取手段を有し、前記出力制御手段は、前記画像形成装置において請負情報で指定された配布可能枚数分の広告チラシの印刷出力を行わせる際に、該請負情報を記載した請負票を広告チラシとは別に前記画像形成装置に印刷出力させ、前記進捗状況管理手段は、前記請負票の印刷出力を行った前記画像形成装置から前記請負票を読み取った画像データを前記チラシ配布作業完了通知として受信し、当該画像データに含まれる請負情報で指定された配布可能枚数分のチラシ配布作業が終了したことを検知して当該チラシ配布ジョブで指定された配布枚数のうちの配布完了枚数を更新することを特徴とするものである。
【００１９】
請求項７に記載の発明は、請求項６に記載のジョブ管理サーバーにおいて、前記請負情報受付手段は、前記進捗状況管理手段によってチラシ配布作業が終了したことを検知する要因となった画像データと同一画像データを再度受信した場合に、当該受信画像データに含まれる請負情報を再度受け付けることを特徴とするものである。
【００２０】
請求項８に記載の発明は、請求項５乃至７の何れか一項に記載のジョブ管理サーバーにおいて、前記進捗状況管理手段は、前記画像形成装置において配布可能枚数分の広告チラシの印刷出力が行われてから所定時間経過後に前記チラシ配布作業完了通知を受信することを条件として当該チラシ配布作業が正常に終了したことを検知し、前記配布完了枚数を更新することを特徴とするものである。
【００２１】
請求項９に記載の発明は、請求項５乃至８の何れか一項に記載のジョブ管理サーバーにおいて、前記進捗状況管理手段は、前記チラシ配布作業完了通知を受信することに伴い、当該配布作業者の通信端末から移動履歴情報を取得し、該移動履歴情報に基づいて当該チラシ配布作業が正常に終了したことを検知して前記配布完了枚数を更新することを特徴とするものである。
【００２２】
請求項１０に記載の発明は、請求項１乃至９の何れか一項に記載のジョブ管理サーバーにおいて、チラシ配布作業によって配布された広告チラシに基づく商品又はサービスの発注情報を受け付ける受注手段と、前記受注手段によって受け付けられる発注情報に基づき、当該チラシ配布ジョブのチラシ配布作業を行ったチラシ配布作業者に対して支払うべき報酬額を決定する報酬決定手段と、を更に備えることを特徴とするものである。
【００２３】
請求項１１に記載の発明は、請求項１０に記載のジョブ管理サーバーにおいて、前記出力制御手段は、配布可能枚数分の広告チラシの印刷出力を前記画像形成装置に行わせる際、当該配布可能枚数分のチラシ配布作業を請け負うチラシ配布作業者を識別する識別情報を広告チラシに印刷させ、前記受注手段は、前記画像形成装置において印刷出力された広告チラシを読み取ってファクシミリ送信される画像データを前記発注情報として受け付け、前記報酬決定手段は、前記画像データに含まれる識別情報に基づいて前記報酬額を支払うべきチラシ配布作業者を特定することを特徴とするものである。
【００２４】
請求項１２に記載の発明は、画像形成装置とジョブ管理サーバーがネットワークを介して接続され、前記ジョブ管理サーバーが前記画像形成装置に対して広告チラシに含まれるコンテンツデータを送信して印刷出力を行わせることにより、広告チラシの配布枚数が指定されたチラシ配布ジョブを配布作業者に実行させる広告配布システムであって、前記ジョブ管理サーバーは、広告チラシに含まれるコンテンツデータを含み、配布枚数が指定されたチラシ配布ジョブを受け付けるジョブ受付手段と、前記ジョブ受付手段により受け付けられたチラシ配布ジョブを記憶するジョブ記憶手段と、前記ジョブ記憶手段にチラシ配布ジョブが登録されることに伴い、当該チラシ配布ジョブで指定された配布枚数のうちの配布完了枚数を管理する進捗状況管理手段と、前記ジョブ記憶手段にチラシ配布ジョブが登録されることに伴い、前記画像形成装置に対し、当該チラシ配布ジョブの登録情報を通知する通知手段と、を備え、前記画像形成装置は、前記ジョブ管理サーバーから通知されたチラシ配布ジョブの発生を報知する報知手段と、前記報知手段により報知されたチラシ配布ジョブの一部又は全部を請け負う旨の請負情報を入力するための請負情報入力操作手段と、前記請負情報入力操作手段により入力された請負情報を前記ジョブ管理サーバーに送信する請負情報送信手段とを備え、前記ジョブ管理サーバーは、前記画像形成装置による通知が行われた後、前記画像形成装置から配布可能枚数が指定された請負情報を受け付ける請負情報受付手段と、前記請負情報受付手段によって請負情報が受け付けられることに伴い、前記画像形成装置に対し、広告チラシのコンテンツデータを送信し、該請負情報で指定された配布可能枚数分の印刷出力を行わせる出力制御手段とを備え、前記進捗状況管理手段は、前記出力制御手段の制御によって配布可能枚数分の広告チラシの印刷出力が前記画像形成装置で行われることに伴って前記配布完了枚数を更新し、前記ジョブ受付手段は、前記進捗状況管理手段によって更新される前記配布完了枚数が当該チラシ配布ジョブで指定された配布枚数に達するまでの間、前記ジョブ記憶手段に記憶した当該チラシ配布ジョブの内容変更を受け付けることを特徴とするものである。
【発明の効果】
【００２５】
本発明によれば、進捗状況管理手段によって更新されるチラシ配布ジョブの配布完了枚数が当該ジョブで指定された配布枚数に達するまでの間、ジョブ記憶手段に記憶した当該チラシ配布ジョブの内容変更がジョブ受付手段により受け付けられる。そして、この内容変更されたチラシ配布ジョブに基づき、画像形成装置で広告チラシが印刷される。
【００２６】
このように、配布依頼者が配布条件やコンテンツの変更を行う場合には、広告サーバー（ジョブ記憶手段）におけるチラシ配布ジョブの登録情報を変更するだけで済み、従来のように、配布条件やコンテンツの変更によって多数の業者に多大な手間暇を課すことがない。また、配布依頼者が配布条件やコンテンツの変更を依頼してから変更後の広告チラシが配布作業者に提供されるまでのタイムラグがほとんど発生せず、コンテンツの変更依頼に対して迅速に対応することができる。
【００２７】
以上により、配布条件や広告内容の変更に対して柔軟に対応することができるチラシ配布システムを提供することができる。
【図面の簡単な説明】
【００２８】
【図１】本発明に係る広告配布システムの一構成例を示す図である。
【図２】ジョブ登録装置の構成例を示す図である。
【図３】画像形成装置の構成例を示す図である。
【図４】携帯通信端末の構成例を示す図である。
【図５】広告サーバーの構成例を示す図である。
【図６】ジョブ登録装置、画像形成装置及び広告サーバーで行われる処理手順を示すプロセス図である。
【図７】ジョブ登録装置、画像形成装置及び広告サーバーで行われる処理手順を示すプロセス図である。
【図８】ジョブ登録装置、画像形成装置及び広告サーバーで行われる処理手順を示すプロセス図である。
【図９】ジョブ登録装置、画像形成装置及び広告サーバーで行われる処理手順を示すプロセス図である。
【図１０】ジョブ登録装置、画像形成装置及び広告サーバーで行われる処理手順を示すプロセス図である。
【図１１】ジョブ登録装置、画像形成装置及び広告サーバーで行われる処理手順を示すプロセス図である。
【図１２】チラシ配布ジョブを広告サーバーに登録するためのチラシ配布ジョブ入力画面を示す図である。
【図１３】配布条件やコンテンツ（広告画像）の情報を入力するための登録画面を示す図である。
【図１４】チラシ配布ジョブを管理するためのジョブ管理テーブルを示す図である。
【図１５】画像形成装置を管理するためのＭＦＰテーブルを示す図である。
【図１６】画像形成装置のアクセス情報を管理するためのアクセス情報テーブルを示す図である。
【図１７】配布作業者を管理するための作業者テーブルを示す図である。
【図１８】広告配布サービスを受ける際に画像形成装置に表示されるメニュー画面を示す図である。
【図１９】今回の請負申請が同一のチラシ配布ジョブに対する再度の請負申請であるか否かを入力するための確認画面を示す図である。
【図２０】記憶部に登録されているチラシ配布ジョブのうち所定のジョブを表示するジョブリスト表示画面を示す図である。
【図２１】ジョブリスト表示画面に表示されている各チラシ配布ジョブのうち配布作業者が指定した請負申請対象のチラシ配布ジョブの詳細情報を表示する詳細情報表示画面を示す図である。
【図２２】チラシ配布ジョブが示す配布依頼枚数のうち請負可能枚数を入力するための請負情報登録画面を示す図である。
【図２３】配布作業者が選択したチラシ配布ジョブについて請負契約が成立した旨を配布作業者に通知する契約成立通知画面を示す図である。
【図２４】請負票の外観例を示す図である。
【図２５】配布作業の完了が確認された旨を配布作業者に通知し、且つ、配布作業者が報酬を受領した旨を当該配布作業者が入力する報酬支払画面を示す図である。
【発明を実施するための形態】
【００２９】
以下、本発明に関する好ましい実施形態について図面を参照しつつ詳細に説明する。なお、以下に説明する実施形態において互いに共通する部材には同一符号を付しており、それらについての重複する説明は省略する。
【００３０】
図１は、本発明に係る広告配布システム１の一構成例を示す図である。
【００３１】
図１に示す広告配布システム１は、ジョブ登録装置２と、画像形成装置３と、携帯通信端末４と、広告サーバー５とを備えて構成されている。これらの装置２〜５は、ネットワークに接続されており、このネットワーク接続によるデータ通信が可能となっている。
【００３２】
ネットワークは、例えばＷＡＮ（Wide Area Network）やインターネットなどを含むネットワークである。なお、図１においては、図面の視認性を考慮して、ジョブ登録装置２及び携帯通信端末４をそれぞれ１台ずつしか図示していないが、ジョブ登録装置２及び携帯通信端末４が複数台登録された形態が、広告配布システム１の一般的な形態として想定される。
【００３３】
ジョブ登録装置２は、チラシ配布ジョブを依頼する配布依頼者によって使用される装置であり、例えばパーソナルコンピュータで構成される。ジョブ登録装置２は、配布依頼者により入力された広告のコンテンツ画像や配布条件などのジョブ登録情報を広告サーバー５に送信する。
【００３４】
画像形成装置３は、デジタル複合機やＭＦＰ（Multi-Function Peripherals）などと称される装置であり、例えば新聞配達店の店舗や広告配布業務を専門的に請け負う配布専門業者のオフィス、或いは、コンビニエンスストアなどの店舗に設置される。画像形成装置３は、配布作業者と広告サーバー５との間で、チラシ配布ジョブの請け負いや報酬の支払いを仲介する装置として機能する。例えば、画像形成装置３は、広告サーバー５の指示に基づき各種画面を配布作業者に提示したり、それらの画面への入力情報をネットワーク経由で広告サーバー５に送信したり、或いは、広告サーバー５の指示に基づき、チラシ配布ジョブの請け負いや報酬の支払いに伴って必要となるプリントやスキャンなどの印刷出力を行ったりする。
【００３５】
画像形成装置３は、例えばコピー機能、スキャナ機能、ＦＡＸ機能、プリンタ機能などの複数の機能を有している。スキャン機能は、画像形成装置３の例えば装置本体上部に設けられた画像読取部３１（図３参照）を駆動して原稿の読み取り動作を行い、スキャンデータを生成する機能である。プリンタ機能は、画像形成装置３の例えば装置本体中央部に設けられた画像形成部３２（図３参照）を駆動して印刷出力を行う機能である。
【００３６】
また、画像形成装置３は、例えば装置本体の正面側に、ユーザーが画像形成装置３を操作する際のユーザーインタフェースとなる操作パネル３３（図３参照）を備えている。画像形成装置３は、この操作パネル３３に対して行われるユーザーの指示入力操作に基づき、上述した複数の機能のうちの少なくとも１つを動作させる。
【００３７】
プリンタ機能及びスキャン機能は、ネットワークを介して行うデータ通信機能と連動することも可能である。例えば、プリンタ機能の場合は、データ通信機能によって外部から取得される画像データに基づき印刷出力を行うことが可能である。このプリンタ機能により、例えば、広告サーバー５から送信される広告チラシのコンテンツデータに基づき広告チラシＭをプリントすることができる。
【００３８】
また、スキャン機能の場合は、原稿を読み取って生成したスキャンファイルをデータ通信機能によって外部に送信することが可能である。これにより、当該画像形成装置３でスキャンした広告チラシＭや後述する請負票Ｓ（図２４参照）等のスキャンデータを広告サーバー５に送信することができる。
【００３９】
携帯通信端末４は、タブレット端末やスマートフォンなどで構成される可搬型の情報端末装置であり、一人のユーザーによって占有される装置である。この携帯通信端末４は、ネットワークを介して他の機器とデータ通信を行う無線通信機能を有している。また、本実施形態に係る携帯通信端末４は、画像や操作画面を表示する表示機能を有している。これにより、ユーザーは、広告サーバー５からの各種通知を閲覧したり、後述する各種操作画面に対して所望の操作を入力したりすることができる。
【００４０】
広告サーバー５は、ネットワークを介してジョブ登録装置２、画像形成装置３及び携帯通信端末４とデータ通信により連携することにより、以下に説明する広告配布サービスを広告配布依頼者に提供するものである。
【００４１】
すなわち、広告配布システム１においては、配布依頼者が、広告のコンテンツや配布条件を含むチラシ配布ジョブをジョブ登録装置２に入力すると、このチラシ配布ジョブの入力情報Ｄ１がジョブ登録装置２から広告サーバー５に送信される。広告サーバー５は、チラシ配布ジョブの入力情報Ｄ１を受け付けると、この入力情報Ｄ１をチラシ配布ジョブの登録情報Ｄ２として記憶するとともに、そのチラシ配布ジョブの登録情報Ｄ２を画像形成装置３や携帯通信端末４に通知する。
【００４２】
この登録情報Ｄ２の通知先として、当該広告配布システム１に登録されている画像形成装置３や携帯通信端末４の全てに通知するようにしてもよいが、本実施形態では、登録情報Ｄ２の通知先を特定の通知先に限定することが可能である。この点については後述する。
【００４３】
広告サーバー５から登録情報Ｄ２の通知を受けた画像形成装置３及び携帯通信端末４は、チラシ配布ジョブの登録情報Ｄ２を自機の所有者若しくは利用者に報知する。
【００４４】
画像形成装置３又は携帯通信端末４からその報知を受けた配布作業者は、当該チラシ配布ジョブを請け負う意思がある場合、請け負う枚数（配布可能枚数）を含む請負情報を画像形成装置３に入力する。このとき、チラシ配布ジョブが指定する配布エリアが複数のエリアに亘る場合は、どのエリアの配布作業を請け負うかについても請負情報として入力する。画像形成装置３は、この請負情報を広告サーバー５に送信する。
【００４５】
広告サーバー５は、画像形成装置３から受信した請負情報の内容をチラシ配布ジョブの内容と照合して承認するか否かを判断する。広告サーバー５は、その請負情報を承認する場合、当該請負情報を送信してきた画像形成装置３に広告チラシのコンテンツデータ等を送信する。画像形成装置３は、この受信データに基づいて広告チラシを印刷する。配布作業者は、この印刷された広告チラシを受け取り、請負情報によって指定した配布エリアで広告チラシの配布作業を行う。
【００４６】
配布作業者は、広告チラシの配布作業が完了すると、その旨を画像形成装置３に入力する。これにより、該画像形成装置３は、配布完了通知を広告サーバー５に送信する。広告サーバー５は、配布完了通知の受信後、所定の処理を経て、その配布作業に対する報酬を配布作業者に支払う処理を行う。また、広告サーバー５は、管理している当該チラシ配布ジョブの配布完了枚数を更新する。
【００４７】
このような広告配布システム１において、特に本実施形態では、当該チラシ配布ジョブについての配布完了枚数が当該チラシ配布ジョブで指定される配布依頼枚数に達するまでの間、配布依頼者が当該チラシ配布ジョブの内容を変更できるよう、広告サーバー５がその内容変更を受け付けるように構成されている点に特徴を有している。以下、広告配布システム１の詳細な構成について以下説明する。
【００４８】
図２は、ジョブ登録装置２の構成例を示す図である。
【００４９】
図２に示すように、ジョブ登録装置２は、各種情報を表示する表示部２１と、各種情報をジョブ登録装置２に入力するためのマウスやキーボードからなる操作部２２とを備えている。また、ジョブ登録装置２は、ネットワークを介して他の通信機器と通信を行うための通信インタフェース（Ｉ／Ｆ）部２３と、ソリッドステートドライブ（ＳＳＤ）等の不揮発性記憶手段で構成される記憶部２４と、ＣＰＵ及びメモリを有する制御部２５とを備えている。そして、ジョブ登録装置２は、これらの構成要素２１〜２５がデータバスＤＢ１を介して相互にデータの入出力を行うことができる構成とされている。
【００５０】
制御部２５は、ＣＰＵがメモリに記憶されているプログラムを実行することにより、後述する各種画面を表示部２１に表示させる表示制御部２５１、及び、配布依頼者によりジョブ登録装置２に入力される各種情報を広告サーバー５に送信する入力情報送信部２５２として機能する。これら各部２５１，２５２の詳細な処理内容については後述する。
【００５１】
図３は、画像形成装置３の構成例を示す図である。
【００５２】
図３に示すように、画像形成装置３は、前述したように、画像読取部３１、画像形成部３２及び操作パネル３３を備えている。また、画像形成装置３は、ネットワークを介して他の通信機器と通信を行うための通信インタフェース（Ｉ／Ｆ）部３４と、ソリッドステートドライブ（ＳＳＤ）等の不揮発性記憶手段で構成される記憶部３５と、ＣＰＵ及びメモリを有する制御部３６とを備えている。そして、画像形成装置３は、これらの構成要素３１〜３６がデータバスＤＢ２を介して相互にデータの入出力を行うことができる構成とされている。
【００５３】
操作パネル３３は、表示部３３１と操作部３３２とを備えており、操作パネル３３を操作するユーザーに対して各種情報を表示したり、ユーザーからの各種操作入力を受け付けたりすることができるようになっている。
【００５４】
制御部３６は、ＣＰＵがメモリに記憶されているプログラムを実行することにより、後述する各種画面を操作パネル３３に表示させる表示制御部３６１、画像形成部３２の印刷動作を制御する印刷制御部３６２、及び、操作パネル３３に入力された各種情報を広告サーバー５に送信する入力情報送信部３６３として機能する。これら各部３６１〜３６３の詳細な処理内容については後述する。
【００５５】
図４は、携帯通信端末４の構成例を示す図である。
【００５６】
図４に示すように、携帯通信端末４は、各種情報を表示する表示部４１と、ユーザーから操作入力を受け付ける操作部４２とを備えている。操作部４２は、例えば表示部４１の画面上に配置されるタッチパネルセンサーなどで構成される。また、携帯通信端末４は、ネットワークを介して他の通信機器と通信を行うための通信インタフェース（Ｉ／Ｆ）部４３と、ソリッドステートドライブ（ＳＳＤ）等の不揮発性記憶手段で構成される記憶部４４と、ＣＰＵ及びメモリを有する制御部４５とを備えている。そして、携帯通信端末４は、これらの構成要素４１〜４５がデータバスＤＢ３を介して相互にデータの入出力を行うことができる構成とされている。
【００５７】
また、制御部４５は、ＣＰＵがメモリに記憶されているプログラムを実行することにより、報知制御部４５１として機能する。報知制御部４５１の詳細な処理内容については後述する。
【００５８】
図５は、広告サーバー５の構成例を示す図である。
【００５９】
図５に示すように、広告サーバー５は、ネットワークを介して他の通信機器と通信を行うための通信インタフェース（Ｉ／Ｆ）部５１と、ソリッドステートドライブ（ＳＳＤ）等の不揮発性記憶手段で構成される記憶部５２と、ＣＰＵ及びメモリを有する制御部５３とを備えている。そして、広告サーバー５は、これらの構成要素５１〜５３がデータバスＤＢ４を介して相互にデータの入出力を行うことができる構成とされている。
【００６０】
記憶部５２は、ジョブ登録装置２から送信されるコンテンツデータＤ１を記憶する。また、記憶部５２は、広告チラシとともに画像形成装置３に印刷させる後述の請負票Ｓ（図２４参照）のフォーマットの画像データＤ２を記憶する。さらに、記憶部５２は、ジョブ管理テーブルＴ１と、ＭＦＰテーブルＴ２と、アクセス情報テーブルＴ３と、作業者テーブルＴ４とを含む管理情報を記憶する。
【００６１】
制御部５３は、ＣＰＵがメモリに記憶されているプログラムを実行することにより、チラシ配布ジョブ管理部５３１、ＭＦＰ管理部５３２、通知処理部５３３、作業者管理部５３４、画像解析部５３５、印刷制御部５３６、検証処理部５３７、報酬処理部５３８及び受注処理部５３９として機能する。これら各部５３１〜５３９及びテーブルＴ１〜Ｔ４の詳細については後述する。
【００６２】
次に、ジョブ登録装置２、画像形成装置３、携帯通信端末４及び広告サーバー５で行われる処理手順を説明する。図６〜図１１は、この処理手順を示すプロセス図である。なお、図６〜図１１においては、画像形成装置３を「ＭＦＰ３」と称し、画像形成装置３の各個体を区別するため、「ＭＦＰ３−１」,・・・，「ＭＦＰ３−Ｎ」と表している。また、図面の視認性のため、図１０では、携帯通信端末４の図示を省略し、図６〜図９，図１１では、携帯通信端末４を１台のみ図示している。
【００６３】
配布依頼者はチラシ配布ジョブを新規に登録しようとするとき、まず、ジョブ登録装置２において、チラシ配布ジョブを登録するためのプログラムを起動させ、チラシ配布ジョブを入力する（プロセスＰ１）。このとき、表示制御部２５１は、例えば図１２に示すようなチラシ配布ジョブ入力画面Ｇ１をまず表示部２１に表示させる。図１２に示すチラシ配布ジョブ入力画面Ｇ１は、チラシ配布ジョブを新規登録するための「新規登録」ボタンＢ１と、登録済みのチラシ配布ジョブに関して配布条件やコンテンツを変更するための「登録内容変更」ボタンＢ２とを有する。
【００６４】
配布依頼者は、チラシ配布ジョブを新規登録するべく「新規登録」ボタンＢ１を操作すると、表示制御部２５１は、例えば図１３に示すようなチラシ配布ジョブを登録するための登録画面Ｇ２を表示部２１に表示させる。図１３に示す登録画面Ｇ２は、配布条件やコンテンツ（広告画像）の情報を入力するための画面である。その配布条件には、例えば、「配布エリア」、「配布依頼枚数」、「配布期間」、「付属情報」、「配布単価」、「特別報酬単価」が含まれる。
【００６５】
登録画面Ｇ２は、配布依頼する配布エリアが複数存在する場合は、配布エリアごとに配布依頼枚数を指定することができるようになっている。また、「付属情報」は、配布作業者や配布ターゲットに関する情報である。配布作業者に関する情報とは、例えば、配布作業者が個人であるか業者であるかの情報、配布作業可能エリア、配布作業可能時間、或いは、配布作業経験（作業スキル）の情報などである。配布ターゲットに関する情報とは、例えば、街頭で広告チラシを配布する場合に、その配布対象者の年齢層や性別などである。なお、特別報酬単価については後述する。
【００６６】
「コンテンツ」の項目の値の入力方法としては、例えば、次のような方法が考えられる。配布依頼者が「参照」ボタンＢ３を操作すると、表示制御部２５１は、記憶部２４の所定の記憶領域に格納されたコンテンツデータの一覧を表示する表示画面を表示する。このコンテンツデータは、配布依頼者により予め作成されて所定の記憶領域に記憶されており、配布依頼者がその一覧の中から所望のコンテンツデータを選択すると、この選択したコンテンツデータの記憶領域を示すアドレス（アクセス情報）が当該登録画面Ｇ２に入力される。
【００６７】
図６に示すように、このようにして配布依頼者が登録画面Ｇ２に配布条件やコンテンツの値を入力し、登録画面Ｇ２の「ＯＫ」ボタンＢ４を操作すると、入力情報送信部２５２は、その入力情報を広告サーバー５に送信する。なお、コンテンツデータについては、登録画面Ｇ２に入力されたアドレス（アクセス情報）に基づいて記憶部２４から読み出され、入力情報に含めて送信される。
【００６８】
広告サーバー５は、チラシ配布ジョブの入力情報をジョブ登録装置２から受信すると、チラシ配布ジョブ管理部５３１は、ジョブ受付手段として機能し、そのチラシ配布ジョブの内容に不具合が存在しないことを確認したのち該ジョブを受け付けて記憶部５２に登録する（プロセスＰ２）。本実施形態では、チラシ配布ジョブは、例えば図１４に示すようなジョブ管理テーブルＴ１に記憶される。
【００６９】
図１４に示すジョブ管理テーブルＴ１は、（１）「ジョブ内容」、（２）「画像形成装置」、（３）「請負内容」、（４）「配布状況」、（５）「配布完了確認物」、（６）「精算状況」、（７）「進捗状況」を項目として、各項目の値を対応付けるテーブルとされている。
【００７０】
「ジョブ内容」には、「広告チラシ」、「配布依頼者」及び「配布条件」が含まれる。「広告チラシ」のセルには、広告チラシのコンテンツを識別するための識別情報（ＩＤ）が書き込まれ、「配布依頼者」のセルには、配布依頼者を識別するための識別情報（ＩＤ）が書き込まれる。
【００７１】
「配布条件」には、「配布エリア」、「配布依頼枚数」、「付属情報」、「配布単価」及び「特別報酬単価」が含まれており、これらの項目のセルには、チラシ配布ジョブで指定された値が書き込まれる。具体的には、「配布エリア」のセルには、チラシ配布ジョブで指定された配布エリアが書き込まれる。「配布依頼枚数」のセルには、チラシ配布ジョブで指定された配布依頼枚数が書き込まれる。「付属情報」のセルには、チラシ配布ジョブで指定された、配布作業者や配布ターゲットに関する情報が書き込まれる。「配布単価」のセルには、配布作業の対価として支払う通常報酬を計算する際の単価（配布した広告チラシ１枚当たりの報酬額）が書き込まれる。「特別報酬単価」のセルには、配布した広告チラシによって注文が発生した場合に、通常報酬とは別に配布作業者に支払う特別報酬を計算する際の単価（配布した広告チラシ１枚当たりの報酬額）が書き込まれる。
【００７２】
チラシ配布ジョブで指定された配布エリアが複数存在し、配布エリアごとに配布依頼枚数が指定されている場合は、チラシ配布ジョブについての「配布エリア」及び「配布依頼枚数」のセルは、配布エリアの数ずつ設けられる。
【００７３】
例えば図１４に示すように、広告チラシＩＤが「Ａ００３」の広告配布ジョブは、配布エリアとして「ＡＲ３」及び「ＡＲ４」の２つの配布エリアが指定されており、各配布エリア「ＡＲ３」,「ＡＲ４」に対し、「８０００」枚，「１０００」枚の配布依頼枚数が指定されている。この場合、「配布エリア」及び「配布依頼枚数」のセルがそれぞれ２つずつ設けられ、配布エリアごとに配布状況等が管理されるようになっている。
【００７４】
チラシ配布ジョブ管理部５３１は、ジョブ登録装置２から新規のチラシ配布ジョブを受け付けると、「広告チラシ」、「配布依頼者」及び「配布条件」の各項目のセルに値を書き込んだジョブ管理テーブルＴ１を記憶部５２に作成する。このように、記憶部５２は、チラシ配布ジョブ管理部５３１により受け付けられるチラシ配布ジョブを記憶するジョブ記憶手段として機能する。
【００７５】
ジョブ管理テーブルＴ１の「画像形成装置」,「請負内容」,「配布状況」,「配布完了確認物」,「精算状況」及び「進捗状況」の各項目の値は、当該チラシ配布ジョブの請負契約成立以降に書き込まれるものであり、詳細には後述する。
【００７６】
チラシ配布ジョブ管理部５３１は、チラシ配布ジョブの記憶部５２への登録に伴い当該チラシ配布ジョブで指定された配布依頼枚数のうちの配布完了枚数を管理する進捗状況管理手段として機能する。すなわち、チラシ配布ジョブ管理部５３１は、当該チラシ配布ジョブのうち少なくとも一部が請け負われて広告チラシが配布されるたびに、配布完了枚数が、チラシ配布ジョブで指定された配布依頼枚数に達したか否かを監視し、達するまで当該チラシ配布ジョブの請負を許諾する。チラシ配布ジョブで指定された配布エリアが複数存在し、配布エリアごとに配布依頼枚数が指定されている場合、チラシ配布ジョブ管理部５３１は、配布エリア毎の配布依頼枚数のうちの配布完了枚数についてこのような管理を行う。
【００７７】
ここで、本実施形態では、チラシ配布ジョブ管理部５３１は、配布完了枚数が当該チラシ配布ジョブで指定された配布依頼枚数に達するまでの間、配布依頼者が当該チラシ配布ジョブの内容を変更できるよう、記憶部５２に記憶した当該チラシ配布ジョブの内容変更を受け付けるようになっている。チラシ配布ジョブで指定された配布エリアが複数存在し、且つ、配布エリアごとに配布依頼枚数が指定されている場合には、チラシ配布ジョブ管理部５３１は、配布エリア毎の配布完了枚数が当該チラシ配布ジョブで指定された当該配布エリアの配布依頼枚数に達するまでの間、記憶部５２に登録した当該配布エリアについての当該チラシ配布ジョブの内容変更を受け付けるようになっている。
【００７８】
チラシ配布ジョブ管理部５３１がチラシ配布ジョブを記憶部５２に登録すると、ＭＦＰ管理部５３２は、複数の画像形成装置３のうち稼働状態である画像形成装置３を検知する検知手段として機能する。ＭＦＰ管理部５３２は、チラシ配布ジョブの登録情報を通知するのに先立ち各画像形成装置３に稼働情報を要求する。
【００７９】
各画像形成装置３は、図６に示すように、この要求を受けて自機の稼働状態を確認し（プロセスＰ３）、この稼働状態を示す稼働情報を広告サーバー５に送信する。広告サーバー５のＭＦＰ管理部５３２は、画像形成装置３から稼動情報を受信すると、該稼働情報に基づき、記憶部５２に予め記憶されているＭＦＰテーブルＴ２を更新する（プロセスＰ４）。
【００８０】
ＭＦＰテーブルＴ２は、例えば図１５に示すように、画像形成装置３に関する情報のテーブルであり、本実施形態では、「画像形成装置」、「設置エリア」、「設置形態」及び「稼働状況」を項目として各項目の値を対応付けるテーブルとされている。「画像形成装置」のセルには、画像形成装置３を識別するための識別情報（ＩＤ）が書き込まれる。「設置エリア」のセルには、画像形成装置３が設置されている地域（エリア）が書き込まれる。「設置店舗」のセルには、画像形成装置３の使用者又は所有者に係る業種名が書き込まれる。「稼働状況」のセルには、画像形成装置３が稼働中（電源がオン）であるか停止中（電源がオフ）であるかが書き込まれる。
【００８１】
ＭＦＰ管理部５３２は、更新後のＭＦＰテーブルＴ２に基づき、稼働中（電源がオン）の画像形成装置３を検出し、通知処理部５３３に通知する。
【００８２】
通知処理部５３３は、稼働中（電源がオン）の画像形成装置３の通知をＭＦＰ管理部５３２から受けると、その稼働中の画像形成装置３と、チラシ配布業務を行うことが予め登録された配布作業者の携帯通信端末４とに対し、当該チラシ配布ジョブの登録情報を通知する通知手段として機能する。
【００８３】
ここで、登録情報の通知先として、当該広告配布システム１に登録されている画像形成装置３や携帯通信端末４の全てに通知するようにしてもよい。しかし、本実施形態では、登録情報の通知先を、チラシ配布ジョブが指定する配布エリアに設置された稼働中の画像形成装置３と、その配布エリアでのチラシ配布業務を行うことが予め登録された配布作業者の携帯通信端末４とに限定している。
【００８４】
通知先の画像形成装置３を、チラシ配布ジョブが指定する配布エリアに設置された画像形成装置３に限定している理由は、次の通りである。
【００８５】
本実施形態に係る広告配布システム１においては、配布作業者がチラシ配布ジョブを請け負う場合に、配布可能枚数等を指定した請負情報を入力するための手段として画像形成装置３を用いるように構成されている。
【００８６】
ここで、チラシ配布ジョブが指定する配布エリア以外のエリアで営業を行う配布作業者については、地理的な点から当該チラシ配布ジョブを請け負う可能性が少ないと考えられる。ひいては、その配布作業者が所有又は専用する画像形成装置３で当該チラシ配布ジョブについての請負情報の入力作業が行われることは少ないと考えられる。
【００８７】
そこで、請け負う可能性の低い配布作業者が使用する画像形成装置３を通知先から除外することで、そのような画像形成装置３にチラシ配布ジョブの登録情報を通知する無駄な通知（通信）を回避することができる。
【００８８】
また、通知先の携帯通信端末４を、チラシ配布ジョブが指定する配布エリアでのチラシ配布業務を行うことが予め登録された配布作業者の携帯通信端末４に限定している理由も同様に、その配布エリア以外のエリアでチラシ配布業務を行うことを登録していない配布作業者は、そのようなチラシ配布業務を行う可能性は低いと考えられるからである。
【００８９】
これにより、請け負う可能性の低い配布作業者が使用する携帯通信端末４を通知先から除外することで、そのような携帯通信端末４にチラシ配布ジョブの登録情報を通知する無駄な通知（通信）を回避することができる。
【００９０】
さらに本実施形態では、チラシ配布ジョブが指定する配布エリアに設置された画像形成装置３のうち、チラシ配布ジョブの登録情報を通知する通知先をさらに稼働中（電源がオン）の画像形成装置３に限定している。
【００９１】
これは、停止中（電源がオフ）の画像形成装置３は、チラシ配布ジョブの登録情報を配布作業者に通知することができないにも拘わらず、このような画像形成装置３を該登録情報の通知先に含めると、無駄な通信が生じることになるからである。
【００９２】
このように、通知処理部５３３は、ジョブ管理テーブルＴ１とＭＦＰテーブルＴ２とに基づき、チラシ配布ジョブで指定されている配布エリアに設置されている稼働中（電源がオン）の画像形成装置３を、当該チラシ配布ジョブの登録情報を通知する対象の画像形成装置３として検出する。
【００９３】
通知処理部５３３は、ＭＦＰテーブルＴ２を参照し、稼働中（電源がオン）の画像形成装置３を検出する（プロセスＰ５）。また、通知処理部５３３は、その稼働中（電源がオン）の画像形成装置３のうち、設置エリアがチラシ配布ジョブで指定されている配布エリアに含まれている画像形成装置３を抽出する。通知先として検出した画像形成装置３のアクセス情報（アドレス情報）は、記憶部５２の図１６に示すようなアクセス情報テーブルＴ３に予め登録されている。そのため、通知処理部５３３は、その検出した画像形成装置３のアクセス情報に基づき、該画像形成装置３に電子メール等を送信することにより当該チラシ配布ジョブの登録情報を通知する（プロセスＰ６）。
【００９４】
一方、通知処理部５３３は、チラシ配布業務を行うことが予め登録された配布作業者の携帯通信端末４を、図１７に示すような作業者テーブルＴ４に基づいて検出する。この作業者テーブルＴ４は、作業者管理部５３４により作成される。
【００９５】
図１７に示す作業者テーブルＴ４は、配布作業者に関する情報のテーブルであり、本実施形態では、「配布作業者」,「配布作業回数」,「連絡先」及び「配布作業実績」を項目として各項目の値を対応付けるテーブルとされている。「配布作業者」のセルには、配布作業者を識別するための識別情報が書き込まれる。「配布作業回数」のセルには、当該配布作業者が配布作業を行った回数が書き込まれる。「連絡先」のセルには、当該配布作業者が所有又は使用する携帯通信端末４のアクセス情報（アドレス情報）が書き込まれる。
【００９６】
作業者管理部５３４は、チラシ配布業務を行うものとして配布作業者の携帯通信端末４が登録されると、「配布作業者」、「配布作業回数」及び「連絡先」の各項目のセルに値を書き込む。
【００９７】
一方、「配布作業実績」の項目については当該チラシ配布ジョブの請負契約成立以降に書き込まれるものであり、詳細には後述する。
【００９８】
ジョブ管理テーブルＴ１及び作業者テーブルＴ４は、配布作業者の項目を共通して備えている。したがって、チラシ配布業務を行うことが登録された配布作業者の携帯通信端末４と、該配布作業者の付属情報（配布作業可能エリア、配布作業可能時間又は配布作業経験）に関する情報とが互いに関連付けられ、記憶部５２は、この関連付けを記憶する配布作業者情報記憶手段として機能する。
【００９９】
通知処理部５３３は、作業者テーブルＴ４に基づき、チラシ配布業務を行うことが予め登録された配布作業者の携帯通信端末４のアクセス情報を検出し（プロセスＰ５）、そのアクセス情報の携帯通信端末４に電子メール等を送信することにより当該チラシ配布ジョブの登録情報を通知する（プロセスＰ６）。これにより、携帯通信端末４の報知制御部４５１は、自機の所有者（配布作業者）に当該チラシ配布ジョブの登録情報を報知する（プロセスＰ７）。
【０１００】
図６に示すように、広告サーバー５からチラシ配布ジョブの登録情報が通知された画像形成装置３は、その登録情報を当該画像形成装置３の所有者又は利用者に報知するための処理を行う（プロセスＰ７）。例えば、表示制御部３６１は、所定時間の間、その登録情報の表示画面を操作パネル３３に表示させることにより、当該チラシ配布ジョブの登録情報を報知する。また、印刷制御部３６２は、チラシ配布ジョブの登録情報を印刷した用紙を画像形成部３２に出力させることにより、当該チラシ配布ジョブの登録情報を報知する。また、当該画像形成装置３が音出力部を有している場合には、制御部３６は、所定時間の間、音出力部に所定の音を出力させて、チラシ配布ジョブの発生を報知するようにしてもよい。
【０１０１】
このような報知の結果、例えば新聞配達店や配布業者においては、その従業員がチラシ配布ジョブの登録情報を知ることができ、該チラシ配布ジョブを請け負うか否かを検討することができる。一方、不特定の個人を配布作業者の対象とするコンビニエンスストアにおいては、例えば、チラシ配布ジョブの登録情報を印刷した用紙を店員が店舗の所定位置に掲示する。これにより、広告配布システム１（広告サーバー５）に予め登録されている配布作業者は、この掲示物を閲覧したとき、該チラシ配布ジョブを請け負うか否かを検討することができる。
【０１０２】
配布作業者は、チラシ配布ジョブを請け負う意思がある場合、広告サーバー５に対して該チラシ配布ジョブの請負申請をする。ここで、本実施形態に係る広告配布システム１では、配布作業者がチラシ配布ジョブを請け負う場合に必要な申請手続きは、画像形成装置３を用いて行うものとされている。
【０１０３】
すなわち、配布作業者は、操作パネル３３に表示されている図略の初期画面の所定のボタンを操作する。これにより、画像形成装置３の表示制御部３６１は、例えば図１８に示すようなメニュー画面Ｇ３を操作パネル３３に表示させる。図１８に示すメニュー画面Ｇ３は、請負申請の手続き（請負情報の入力）を行うための「配布希望」ボタンＢ５と、配布作業が完了した旨を入力するための「配布完了報告」ボタンＢ６と、特別報酬の支払いを要求する旨を入力するための「特別報酬受取」ボタンＢ７とを有する。配布作業者は、チラシ配布ジョブを請け負う意思がある場合、「配布希望」ボタンＢ５を操作することで、請負申請の手続きが可能となる。
【０１０４】
「配布希望」ボタンＢ５が操作されると、表示制御部３６１は、図１９に示すような確認画面Ｇ４を操作パネル３３に表示させる。図１９に示す確認画面Ｇ４は、今回の請負申請が、同一のチラシ配布ジョブに対する再度の請負申請であるか否かを入力するための画面である。
【０１０５】
請負申請の対象が初めてのチラシ配布ジョブある場合、配布作業者は、「ＮＯ」ボタンＢ９を操作する。この操作を受けて、入力情報送信部３６３は、請負申請の対象が初めてのチラシ配布ジョブある旨の通知を広告サーバー５に送信する。
【０１０６】
広告サーバー５の制御部５３は、この通知を受けて、例えばログインＩＤ及びログインパスワードを含む認証情報を画像形成装置３に要求する。画像形成装置３の表示制御部３６１は、図略のログイン画面を表示部２１に表示させる。配布依頼者は、このログイン画面にユーザーＩＤ（identification）及びパスワードを含む認証情報としてのユーザー情報を入力してプロセスＰ送信指示を入力すると（図７のプロセスＰ１１）、入力情報送信部２５２は、そのユーザー情報が付加されたログイン要求を広告サーバー５に送信する。
【０１０７】
広告サーバー５は、該ログイン要求を受信すると、制御部５３は、画像形成装置３から受信したユーザー情報に基づいてユーザー認証処理を行う。このユーザー認証処理に成功すると、制御部５３は、画像形成装置３を利用している配布作業者を認証ユーザー（ログインユーザー）として広告サーバー５にログインしたログイン状態へと移行させる（プロセスＰ１２）。
【０１０８】
広告サーバー５のチラシ配布ジョブ管理部５３１は、画像形成装置３をログイン状態に移行させると、記憶部５２（ジョブ管理テーブルＴ１）に登録されているチラシ配布ジョブのリストを作成する（プロセスＰ１３）。ここで、本実施形態では、チラシ配布ジョブ管理部５３１は、記憶部５２に登録されているチラシ配布ジョブのうち、当該画像形成装置３の設置エリアを配布エリアとして含むチラシ配布ジョブを抽出し、その抽出したチラシ配布ジョブのリストを作成する。そして、チラシ配布ジョブ管理部５３１は、このジョブリストを当該画像形成装置３に送信する。
【０１０９】
画像形成装置３の表示制御部３６１は、広告サーバー５からジョブリストを受信すると、図２０に示すようなジョブリスト表示画面Ｇ５を操作パネル３３に表示させる（プロセスＰ７）。このジョブリスト表示画面Ｇ５では、広告サーバー５から受信したジョブリストが表示され、配布作業者はそのリストの中から配布作業を行うことを希望する少なくとも１つのジョブを選択することができる。配布作業者は、ジョブリスト表示画面Ｇ５に表示されている各チラシ配布ジョブのうち請負申請対象のチラシ配布ジョブの表示領域を操作する。これを受けて、入力情報送信部２５２は、そのチラシ配布ジョブの詳細情報を広告サーバー５に要求する。
【０１１０】
広告サーバー５のチラシ配布ジョブ管理部５３１は、この要求を画像形成装置３から受けると、図７に示すように、チラシ配布ジョブの詳細情報をジョブ管理テーブルＴ１から読み出し（プロセスＰ１５）、該詳細情報を当該画像形成装置３に送信する。画像形成装置３の表示制御部３６１は、広告サーバー５から該詳細情報を受信すると、詳細情報表示画面Ｇ６を操作パネル３３に表示させる（プロセスＰ１６）。
【０１１１】
この詳細情報表示画面Ｇ６では、配布作業者が選択したチラシ配布ジョブの詳細情報が表示され、チラシ配布ジョブを請け負うか否かを選択することができる。尚、この詳細情報表示画面Ｇ６には、当該配布エリアでの配布依頼枚数のうち、未配布となっている残り配布枚数を表示するようにしても良い。
【０１１２】
詳細情報表示画面Ｇ６には、図２１に示すように、例えば、詳細な配布条件と広告チラシのサムネイル画像とが表示される。詳細な配布条件として、配布エリア、配布依頼枚数、配布期間、付属情報、配布単価、特別報酬単価が含まれる。配布作業者は、詳細情報表示画面Ｇ６に詳細情報が表示されているチラシ配布ジョブを請け負う場合、「希望する」ボタンＢ１０を操作し、請け負わない場合は、「希望しない」ボタンＢ１１を操作する。
【０１１３】
「希望する」ボタンＢ１０が操作されると、画像形成装置３の表示制御部３６１は、図２２に示すような請負情報登録画面Ｇ７を操作パネル３３に表示させる（プロセスＰ１７）。請負情報登録画面Ｇ７は、チラシ配布ジョブが示す配布依頼枚数のうち請負可能枚数を入力するための画面である。ただし、当該配布エリアでの残り配布枚数を超える請負可能枚数は入力できないようになっている。配布作業者は、請負可能枚数を入力し「ＯＫ」ボタンＢ１２を操作すると（プロセスＰ１８）、入力情報送信部２５２は、この請負可能枚数の情報を請負情報として広告サーバー５に送信する。
【０１１４】
広告サーバー５のチラシ配布ジョブ管理部５３１は、画像形成装置３から請負情報を受信すると、請負情報の内容がチラシ配布ジョブの内容に合致するか否かを判断し、合致するとき、該請負情報を受け付ける請負情報受付手段として機能する。
【０１１５】
広告サーバー５の印刷制御部５３６は、チラシ配布ジョブ管理部５３１により請負情報が受け付けられると、印刷情報を作成する（プロセスＰ１９）。この印刷情報には、広告チラシのコンテンツデータ及び配布作業を請け負う配布作業者を識別する作業者識別情報と、後述する請負票Ｓの画像データと、該請負情報で指定された配布可能枚数を示す印刷枚数情報とが含まれる。なお、作業者識別情報は、広告チラシがどの配布作業者によって配布されたのかが判る情報であればよく、例えば、配布作業者が使用する携帯通信端末４のアクセス情報やバーコードなどの識別子でもよい。印刷制御部５３６は、この印刷情報を、請負情報を送信してきた画像形成装置３に対して送信する。
【０１１６】
画像形成装置３の表示制御部３６１は、広告サーバー５から印刷情報を受信すると、例えば図２３に示すような契約成立通知画面Ｇ８を操作パネル３３に表示させる。契約成立通知画面Ｇ８は、配布作業者が選択したチラシ配布ジョブについて請負契約が成立した旨を当該配布作業者に通知する画面である。この契約成立通知画面Ｇ８で「プリント開始」ボタンＢ１３が操作されると、印刷制御部３６２は、受信した印刷情報に基づき、少なくとも請負情報で指定した配布可能枚数分、画像形成部３２に印刷させる（プロセスＰ２０）。
【０１１７】
また、このとき、印刷制御部３６２は、例えば図２４に示すような請負票Ｓも画像形成部３２に印刷させる。請負票Ｓは、広告チラシとは別の印刷物であり、請負契約の契約内容を配布作業者に視認させるため、その契約内容の一部又は全部が記載されている。
【０１１８】
請負票Ｓは、配布作業者が広告サーバー５に対して後の配布完了通知や同一のチラシ配布ジョブに対する再度の請負申請を行う際、ユーザー情報などの入力を省略できるものとして用いられる。すなわち、請負票Ｓには、例えばバーコードなどからなり配布作業者や請負契約を識別するための識別子が印刷されており、ユーザー情報などの入力に代えてこの請負票Ｓをスキャンさせることで、ユーザー情報などの入力を省略できるようになっている。
【０１１９】
印刷制御部３６２は、広告チラシの印刷が完了すると、印刷完了通知を広告サーバー５に送信する。
【０１２０】
広告サーバー５のチラシ配布ジョブ管理部５３１は、図７に示すように、画像形成装置３から印刷完了通知を受信すると、ジョブ管理テーブルＴ１を更新する（プロセスＰ２１）。すなわち、チラシ配布ジョブ管理部５３１は、ジョブ管理テーブルＴ１における「画像形成装置」、「請負内容」及び「配布状況」の各項目のセルに値を書き込む。
【０１２１】
具体的には、「画像形成装置」のセルには、当該チラシ配布ジョブの広告チラシを印刷出力した画像形成装置３を識別するための情報が書き込まれる。「請負内容」の項目は、当該チラシ配布ジョブに対して配布作業者が請け負った請負内容であり、本実施形態では「配布作業者」及び「配布枚数」を含む。「配布作業者」のセルには、当該チラシ配布ジョブを請け負った配布作業者を識別するための識別情報が書き込まれる。「配布枚数」のセルには、当該チラシ配布ジョブを請け負った配布作業者が配布する配布枚数が書き込まれる。「配布状況」のセルには、当該チラシ配布ジョブを請け負った配布作業者による配布状況が書き込まれる。
【０１２２】
図８に示すように、配布作業者は、配布作業が完了すると、配布した広告チラシを印刷した画像形成装置３の操作パネル３３に図１８に示すメニュー画面Ｇ３を表示させ、該メニュー画面Ｇ３において「配布完了報告」ボタンＢ６を操作する。これにより、画像形成装置３の制御部３６は、請負票Ｓの画像を当該画像形成装置３に読み込ませるよう配布作業者に指示する。配布作業者は、請負票Ｓの画像を当該画像形成装置３に読み込ませると、入力情報送信部３６３は、そのスキャンデータを広告サーバー５に送信する（プロセスＰ３１）。本実施形態では、広告サーバー５は、このスキャンデータを配布完了通知として認識するが、これに限定されず、操作パネル３３に所定のボタンを表示してこのボタンの操作情報を配布完了通知として認識するようにしてもよい。
【０１２３】
広告サーバー５の画像解析部５３５は、画像形成装置３からスキャンデータを受信すると、該スキャンデータに含まれるコンテンツデータを解析し、該コンテンツデータに対応する広告チラシを検出する。さらに、スキャンデータには、コンテンツデータの他、配布作業を請け負う配布作業者を識別する作業者識別情報が含まれている。画像解析部５３５は、このスキャンデータに含まれる作業者識別情報を抽出し、該識別情報に基づき、配布完了通知を行ってきた配布作業者を認識する。
【０１２４】
このように、本実施形態では、配布作業者が請負票Ｓを画像形成装置３にスキャンさせるだけで、どの配布作業者がどの配布エリアでどの広告チラシを配布したのかについての情報を広告サーバー５に提供することができ、配布作業者によるユーザー情報（ユーザーＩＤ及びパスワード）の入力作業を行わずに済むようになっている。
【０１２５】
広告サーバー５は、請負票Ｄのスキャンデータを承認すると、配布作業が完了したことを証明する配布完了確認情報を当該画像形成装置３に要求する。画像形成装置３の制御部３６は、広告サーバー５から配布完了確認情報の要求を受けると、配布作業者に配布完了確認情報の提供を要求する。配布完了確認情報として、例えば携帯通信端末４で撮影した配布作業時の写真データや、携帯通信端末４のＧＰＳ（Global Positioning System）履歴情報などの移動履歴情報が考えられる。
【０１２６】
配布作業者は、例えばネットワーク通信機能により、写真データや移動履歴情報を携帯通信端末４から画像形成装置３に提供する。或いは、携帯通信端末４及び画像形成装置３が、ＮＦＣ（Near Field Communication）などにより所定距離の範囲内にある特定のデバイスとの間で近距離無線通信を行う機能を備えている場合には、この近距離無線通信機能により、それらのデータを携帯通信端末４から画像形成装置３に提供する。
【０１２７】
このようにして配布作業者が携帯通信端末４から画像形成装置３に配布完了確認情報を入力すると（プロセスＰ３２）、画像形成装置３の入力情報送信部３６３は、該配布完了確認情報を広告サーバー５に送信する。なお、このように画像形成装置３を経由して携帯通信端末４から広告サーバー５に配布完了確認情報を提供する方法の他、画像形成装置３を経由させずに、携帯通信端末４から直接広告サーバー５に配布完了確認情報を提供するようにしてもよい。例えば、配布完了確認情報を送信すべき送信先アドレスを操作パネル３３に表示し、配布作業者に携帯通信端末４を用いてその送信先にアクセスさせて配布完了確認情報を広告サーバー５に送信させる形態も考えられる。
【０１２８】
広告サーバー５の検証処理部５３７は、配布完了確認情報を受信すると、その情報に基づき、配布作業の実施の真偽について検証する（プロセスＰ３３）。例えば移動履歴情報を受信した場合、検証処理部５３７は、その移動履歴情報が示す移動エリアが広告配布ジョブで指定された配布エリア内に含まれているか否かを判断し、含まれている場合、受信した配布完了確認情報は、適切な配布作業が行われたことを示す証拠であると判断する。
【０１２９】
なお、配布完了確認情報が配布作業時の写真である場合、該写真に基づいて検証処理部５３７が配布作業の実施の真偽を検証することは困難である。したがって、この場合には、広告サーバー５の管理者がその写真を見て適切な配布作業が行われたか否かを判断することとなる。
【０１３０】
また、本実施形態では、画像形成装置３に対して広告チラシの印刷出力を指示してから配布作業完了通知を画像形成装置３から受信するまでの経過時間も、配布作業の実施の真偽を検証する際の判断材料としている。すなわち、配布作業を適切に行うには相応の作業時間を要すると考えられる。このことから、検証処理部５３７は、その経過時間が所定時間より大きい場合にのみ、適切な配布作業が行われたものと判断する。ただし、所定時間は、配布作業者が配布する配布枚数に応じて予め設定しておくことが好ましい。例えば、配布枚数が１００枚であれば所定時間を２０分程度に設定し、５００枚であれば所定時間を１００分程度に設定するなど、配布枚数に比例した所定時間を設定するようにしても良い。
【０１３１】
なお、本実施形態では、配布作業の実施の真偽についての検証精度を高めるため、配布作業者から提供される移動履歴情報などのデータと前述の経過時間との両方の判断材料に基づいて検証を行うようにしているが、何れか一方のみを判断材料として検証を行うようにしてもよい。
【０１３２】
チラシ配布ジョブ管理部５３１は、検証処理部５３７により適切な配布作業が行われたものと判断されると、ジョブ管理テーブルＴ１を更新する。具体的には、チラシ配布ジョブ管理部５３１は、ジョブ管理テーブルＴ１の「配布状況」の項目のセルに、例えば配布作業が完了したことを示す「終了」の値を書き込む。また、「配布完了確認物」のセルには、配布完了確認情報の種類が書き込まれ、例えば配布完了確認情報がＧＰＳ履歴情報である場合には「ＧＰＳ」と書き込まれる。
【０１３３】
また、チラシ配布ジョブ管理部５３１は、ジョブ管理テーブルＴ１の「進捗状況」の値も更新する。「進捗状況」の項目は、「配布完了枚数」及び「未配布枚数」の各項目を含む。「配布完了枚数」のセルには、当該チラシ配布ジョブについて、もしくは、配布エリアが複数指定されている場合には当該配布エリアについて、配布が完了した配布完了枚数の総数が書き込まれる。また、「未配布枚数」のセルには、当該チラシ配布ジョブについて、もしくは、配布エリアが複数指定されている場合には当該配布エリアについて、指定された配布依頼枚数から配布完了枚数を差し引いた枚数が書き込まれる。
【０１３４】
このように、本実施形態では、チラシ配布ジョブ管理部５３１は、広告チラシの印刷出力が行われた画像形成装置３から当該広告チラシの配布作業の完了通知を受信することを条件として、当該広告チラシの配布完了枚数を更新する。
【０１３５】
また、チラシ配布ジョブ管理部５３１は、請負票Ｓの印刷出力を行った画像形成装置３から請負票Ｓのスキャンデータを配布作業の完了通知として受信すると、当該スキャンデータに含まれる請負情報で指定された配布可能枚数分のチラシ配布作業が終了したものと判断し、当該チラシ配布ジョブで指定された配布枚数のうちの配布完了枚数を更新する。
【０１３６】
また、チラシ配布ジョブ管理部５３１は、同一のチラシ配布ジョブを異なる配布作業者が請け負った場合、その配布作業に関する管理を配布作業者ごとに個別に行う。すなわち、チラシ配布ジョブ管理部５３１は、ジョブ管理テーブルＴ１の各項目（２）〜（７）のセルを配布作業者毎に設けて、値を書き込んだり書き換えたりする。そして、チラシ配布ジョブ管理部５３１は、異なる配布作業者が請け負っている同一のチラシ配布ジョブに関して、請負票Ｓのスキャンデータを配布作業の完了通知として受信した場合、該スキャンデータに対応する配布作業者についての配布枚数を更新する。
【０１３７】
また、検証処理部５３７により適切な配布作業が行われたものと判断されると、報酬処理部５３８は、その配布作業者に対して支払うべき報酬額を算出する（プロセスＰ３４）。本実施形態では、配布単価と配布枚数とに基づいてその報酬額を算出する。
【０１３８】
本実施形態では、例えば画像形成装置３により印刷されるクーポン券で通常報酬を配布作業者に支払う支払方法が採用されている。そのため、通知処理部５３３は、報酬処理部５３８で算出された報酬額を画像形成装置３に通知する。ただし、報酬の支払方法は、クーポン券で支払う方法に限定されず、現金や預金口座への振り込みでもよい。以下、このとき支払われる報酬を通常報酬という。
【０１３９】
画像形成装置３の制御部３６は、この通知を広告サーバー５から受信すると、該通知に基づく通常報酬を配布作業者に支払う処理を行う（プロセスＰ３５）。具体的には、表示制御部３６１は、報酬額の通知を広告サーバー５から受信すると、図２５に示すような報酬支払画面Ｇ９を操作パネル３３に表示させる。図２５に示す報酬支払画面Ｇ９は、配布完了確認情報が承認され、配布作業の完了が確認された旨を配布作業者に通知するとともに、配布作業者が報酬を受領した旨を当該配布作業者が入力する画面である。また、表示制御部３６１による報酬支払画面Ｇ９の表示処理と並行して、印刷制御部３６２は、画像形成部３２にクーポン券を印刷出力させる。
【０１４０】
配布作業者がこのクーポン券を受け取り報酬支払画面Ｇ９で「受領」ボタンＢ１４を操作すると（プロセスＰ３６）、入力情報送信部３６３は、配布作業者が通常報酬を受領した旨を広告サーバー５に送信する。
【０１４１】
広告サーバー５のチラシ配布ジョブ管理部５３１は、配布作業者が通常報酬を受領した旨を画像形成装置３から受信すると、ジョブ管理テーブルＴ１を更新する（プロセスＰ３７）。具体的には、チラシ配布ジョブ管理部５３１は、ジョブ管理テーブルＴ１の「精算状況」の項目のセルに、報酬の支払い状況を示す値、例えば「通常報酬支払い済み」という値を書き込む。
【０１４２】
また、作業者管理部５３４は、作業者テーブルＴ４を更新して当該配布作業者の作業履歴を記憶部５２に記憶させる。具体的には、作業者管理部５３４は、当該配布作業者について配布作業実績の項目のセルを図１７に示す作業者テーブルＴ４に作成する。「配布作業実績」の項目は、当該配布作業者の作業実績（作業履歴）に関する情報であり、本実施形態では、図１７に示すように、「画像形成装置」、「配布日」、「配布枚数」、「配布時間」、「支払金額」及び「支払方法」の各項目を有する。
【０１４３】
「画像形成装置」のセルには、当該配布作業者が配布作業を行うに際して利用した画像形成装置３が書き込まれる。「配布日」のセルには、配布作業日が書き込まれる。「配布枚数」のセルには、その配布作業日に配布した広告チラシの配布枚数が書き込まれる。「配布時間」のセルには、その広告チラシを配布した配布時間が書き込まれる。「支払金額」のセルには、当該配布作業の対価として当該配布作業者に支払った通常報酬の金額が書き込まれる。「支払方法」のセルには、その通常報酬の支払形態（クーポンとか現金）が書き込まれる。このような配布作業実績のデータは、図１７に示すように、当該配布作業者が作業実績を積むたびに累積される。
【０１４４】
ところで、配布依頼者は、広告サーバー５に登録したチラシ配布ジョブが完了するまでに、そのジョブの内容を変更したい場合、新規登録の場合と同様、まず、ジョブ登録装置２の表示部２１にチラシ配布ジョブ入力画面Ｇ１（図１２参照）を表示させる。そして、配布依頼者は、このチラシ配布ジョブ入力画面Ｇ１の「登録内容変更」ボタンＢ２を操作することで、チラシ配布ジョブの内容を変更することが可能となる。
【０１４５】
図９に示すように、配布依頼者が「登録内容変更」ボタンＢ２を操作すると（プロセスＰ４１）、ジョブ登録装置２の入力情報送信部２５２は、チラシ配布ジョブの内容変更を広告サーバー５に要求する。広告サーバー５は、この要求を受けて、該チラシ配布ジョブの登録情報をジョブ登録装置２に送信する。
【０１４６】
ジョブ登録装置２は、広告サーバー５から登録情報を受信して、図１３に示す登録画面Ｇ２を表示する。ただし、このときに表示される登録画面Ｇ２には、受信した登録情報に基づき、新規登録時又は前回変更時の各項目の値が表示されている。なお、登録画面Ｇ２に新規登録時又は前回変更時の各項目の値が表示されていることだけで、配布依頼者は、現在表示されている登録画面Ｇ２が、新規登録のための画面ではなくチラシ配布ジョブの変更のための画面であることを認識できると考えられるが、この区別をより明確にする表示を行うようにすればより好ましい。例えば、図１３の矢印Ａで示すように、新規登録時の登録画面Ｇ２には「新規」の文字を、変更時の登録画面Ｇ２には「変更」の文字を表示することが考えられる。
【０１４７】
配布依頼者は、この登録画面Ｇ２に表示されている各項目の値のうち変更したい項目の値を変更し、「ＯＫ」ボタンＢ４を操作すると（プロセスＰ４２）、入力情報送信部２５２は、この「ＯＫ」ボタンＢ４の操作時点で表示されている各項目の値を変更後のチラシ配布ジョブ情報として広告サーバー５に送信する。広告サーバー５のチラシ配布ジョブ管理部５３１は、この変更後の入力情報に基づき、ジョブ管理テーブルＴ１を更新する（プロセスＰ４３）。すなわち、変更後の入力情報に基づき、ジョブ管理テーブルＴ１の各項目の値を書き換える。
【０１４８】
配布依頼枚数に変更があった場合、チラシ配布ジョブ管理部５３１は、この変更後の配布依頼枚数に基づき、「配布完了枚数」及び「未配布枚数」の各項目の値も書き換える。例えば、変更後の配布依頼枚数が新規登録時又は前回変更時における配布依頼枚数より１０００枚増加した場合、「配布完了枚数」及び「未配布枚数」の値を、それぞれ現在の値に１０００加算した値に書き換える。
【０１４９】
以降、配布依頼枚数が再び変更されるまで、チラシ配布ジョブ管理部５３１は、この書き換えた値に基づき、当該チラシ配布ジョブが完了したか否か、もしくは、配布エリアが複数指定されている場合には当該配布エリアについて配布が完了したか否かを管理する。
【０１５０】
また、チラシ配布ジョブ管理部５３１は、この変更後の配布依頼枚数に基づいて、チラシ配布ジョブの変更の可否判断を行う。すなわち、例えば配布依頼枚数「１０００」枚を「２０００」枚に変更した場合、チラシ配布ジョブ管理部５３１は、配布完了枚数が「２０００」枚に達するまでの間、当該チラシ配布ジョブの内容変更を受け付ける。
【０１５１】
本実施形態における広告配布システム１においては、広告配布ジョブが示す配布枚数のうち、一部の配布枚数を配布作業者が請け負うことができるようになっている。そのため、その枚数分の配布作業を請け負った配布作業者が、同一の広告配布ジョブについて、残りの配布枚数の一部又は全部の配布作業を再度請け負いたいと考えるケースが生じ得る。
【０１５２】
その場合に、請負票Ｓの画像には、配布作業者や請負契約を識別するための識別子が含まれていることから、本実施形態では、配布作業完了通知と同様、配布作業者が請負票Ｓの画像を当該画像形成装置３に読み込ませることで、同一の広告配布ジョブに対する再請負の申請時における認証のためのユーザー情報の入力の必要を無くしている。これに加え、請け負いたいチラシ配布ジョブを選択するためのジョブリスト表示画面Ｇ５（図２０参照）の表示及び該画面Ｇ５への入力も無くしている。
【０１５３】
再請負したいと考える配布作業者は、前述した方法により図１９に示す確認画面Ｇ４を操作パネル３３に表示させる。そして、該配布作業者は、この確認画面Ｇ４の「ＹＥＳ」ボタンＢ８を操作する。これにより、表示制御部３６１は、請負票Ｓの画像を当該画像形成装置３に読み込ませるように配布作業者に指示する。図１０に示すように、配布作業者は、請負票Ｓの画像を当該画像形成装置３に読み込ませると、入力情報送信部３６３は、このスキャンデータを広告サーバー５に送信する。
【０１５４】
画像解析部５３５は、該スキャンデータを解析し、請負票Ｓの発行時の請負情報（作業者等）を検出する（プロセスＰ５２）。なお、請負票Ｓのスキャンデータが、配布完了通知を示すものであるのか再請負の申請であるのかの識別については、画像解析部５３５は、例えば、該スキャンデータの受信前に、確認画面Ｇ４における「ＹＥＳ」ボタンＢ８の操作情報を受信したか否かに基づいて識別する。
【０１５５】
そして、チラシ配布ジョブ管理部５３１は、スキャンデータを送信してきた画像形成装置３が、画像解析部５３５により検出された配布エリア内に設置されたものであるか否かを、ジョブ管理テーブルＴ１を参照して判断する（プロセスＰ５３）。その後、図７のプロセスＰ１５以降の処理を行う。
【０１５６】
なお、再請負の申請に用いられるスキャン対象は、請負票Ｓに限定されず、配布作業が終了したことを検知する要因となった画像データと同一画像データであればよく、そのような画像データを再度受信した場合に、配布作業者が同一のチラシ配布ジョブを再度請け負う意思を有しているものと判断するようにすればよい。
【０１５７】
ところで、本実施形態における広告配布システム１においては、配布作業者が配布した広告チラシを見てその掲載商品やサービスの注文を希望する購入希望者は、画像形成装置３を用いて該広告チラシの画像をファクシミリ送信させることで、その注文を行うことができるようになっている。その場合に、本実施形態では、配布依頼者の裁量で、配布作業の対価である通常報酬とは別に設定された特別報酬（成功報酬）が配布作業者に支払われるようになっている。そのため、この注文方式での注文が発生すると、その広告チラシを配布した配布作業者にその旨を通知する。以下、この点について説明する。
【０１５８】
図１１に示すように、購入希望者は、広告チラシのファクシミリ送信指示を画像形成装置３に入力すると（プロセスＰ６１）、画像読取部３１は、広告チラシをスキャンし、入力情報送信部３６３は、そのスキャンデータを発注情報として広告サーバー５にファクシミリ送信する。尚、スキャンデータを発注情報として広告サーバー５に送信するファクシミリ装置は、上述した画像形成装置３に限られるものではなく、例えば家庭用のファクシミリ装置であっても構わない。
【０１５９】
広告サーバー５の画像解析部５３５は、画像形成装置３から受信したスキャンデータが広告チラシのスキャンデータであるか否かを判断し、そのスキャンデータが広告チラシのスキャンデータである場合には、さらに、該スキャンデータに含まれる作業者識別情報を抽出して配布作業者を特定する（プロセスＰ６２）。
【０１６０】
一方、受注処理部５３９は、配布作業によって配布された広告チラシに基づく商品又はサービスの発注情報を受け付ける受注手段として機能し、画像解析部５３５により検出されたスキャンデータが広告チラシのスキャンデータであるとき、当該スキャンデータを発注情報として受け付けて、該発注情報を商品販売元又はサービス提供元の図示しないサーバーに送信する。
【０１６１】
作業者管理部５３４は、画像解析部５３５により特定された配布作業者の連絡先を作業者テーブルＴ４に基づいて検出する。なお、配布作業者が新聞配達店や配布専門業者などの業者の場合、そのオフィスに設置されている画像形成装置３に注文発生通知を送信し、画像形成装置３でクーポン券を発行することで特別報酬の支払いを行うようにすると、どの従業員も報酬が受け取り可能な状態となり、金銭管理の点で好ましくない。この場合、その業者の従業員のうち特定の従業員の連絡先（例えば携帯通信端末４）を別途記憶部５２に記憶しておき、当該業者に特別報酬の支払いの必要が生じた場合には、その特定の従業員の連絡先に注文発生通知を送信するようにするとよい。
【０１６２】
報酬処理部５３８は、受注処理部５３９によって受け付けられる発注情報に基づき、当該チラシ配布ジョブの配布作業を行った配布作業者に対して支払うべき特別報酬の報酬額を決定する（プロセスＰ６３）。なお、本実施形態では、当該配布作業者が配布した広告チラシの枚数と、１枚当たりの単価（特別報酬単価；図１４参照）に基づいて特別報酬を算出するようにしているが、この算出方法に限定されず、例えば、１件の注文に対して設定した固定額を特別報酬としてもよい。
【０１６３】
そして、受注処理部５３９は、作業者管理部５３４により検出された連絡先の携帯通信端末４に注文発生通知を送信する。その携帯通信端末４の報知制御部４５１は、その旨を表示部４１によるメッセージ表示や音声出力によって配布作業者に報知する（プロセスＰ６４）。
【０１６４】
注文発生通知を受けた配布作業者は、広告配布システム１に登録されている画像形成装置３にアクセスし、操作パネル３３に図１８に示すメニュー画面Ｇ３を表示させる。そして、配布作業者は、このメニュー画面Ｇ３において、「特別報酬受取」ボタンＢ７を操作することで、配布作業者が特別報酬の受取手続きを開始することができる。該配布作業者は、「特別報酬受取」ボタンＢ７を操作し、且つ、ログインすると、印刷制御部３６２は、画像形成部３２にクーポン券を印刷出力させる。これにより、配布作業者は特別報酬を受け取ることができる。
【０１６５】
また、表示制御部３６１は、図２５に示す報酬支払画面Ｇ９と同様の画面を操作パネル３３に表示させる。そして、配布作業者は、この画面で「受領」ボタンＢ１４を操作すると（プロセスＰ６５）、入力情報送信部３６３は、配布作業者が特別報酬を受領した旨を広告サーバー５に送信する。
【０１６６】
広告サーバー５のチラシ配布ジョブ管理部５３１は、配布作業者が特別報酬を受領した旨を画像形成装置３から受信すると、ジョブ管理テーブルＴ１を更新する（プロセスＰ６６）。すなわち、チラシ配布ジョブ管理部５３１は、当該広告チラシに対応するチラシ配布ジョブに対応する「精算状況」のセルに、例えば、「特別報酬１回支払い済み」という値を書き込む。
【０１６７】
以上のように、広告配布システム１においては、配布枚数を始めとする配布条件やコンテンツデータを広告サーバー５が管理し、広告サーバー５は、配布完了枚数が当該チラシ配布ジョブで指定された配布枚数に達するまでの間、記憶部５２に登録した当該チラシ配布ジョブの内容変更を受け付ける。
【０１６８】
これにより、配布依頼者が配布条件やコンテンツの変更を行う場合には、広告サーバー５とジョブ登録装置２との間の通信だけでその変更を実現することができ、従来のように、配布条件やコンテンツの変更によって多数の業者に多大な手間暇を課すことがない。また、配布依頼者が配布条件やコンテンツの変更を依頼してから変更後の広告チラシが配布作業者に提供されるまでのタイムラグがほとんど発生せず、コンテンツの変更依頼に対して迅速に対応することができる。
【０１６９】
これにより、配布条件や広告内容の変更に対して柔軟に対応することのできる広告配布システムを提供することができる。
【０１７０】
また、本実施形態では、各配布エリアの配布完了枚数が当該チラシ配布ジョブで指定された配布枚数に達することによって当該チラシ配布ジョブの実行が完了するまでの間、配布エリアごとに当該チラシ配布ジョブの内容変更を受け付けるようにしたので、チラシ配布ジョブを配布エリア毎に管理することができる。
【０１７１】
また、本実施形態では、チラシ配布ジョブの登録情報を通知する通知先を、チラシ配布ジョブが指定する配布エリアに設置された画像形成装置３であって稼働中（電源がオン）の画像形成装置３に限定する。これにより、これらの条件に適合しない画像形成装置３との無駄な通信を回避することができる。
【０１７２】
また、本実施形態では、チラシ配布業務を行うことが登録された配布作業者の携帯通信端末４と、該配布作業者の配布作業可能エリア等に関する付属情報とを互いに関連づけた配布作業者情報を記憶し、予め登録された配布作業者の通信端末に対してチラシ配布ジョブの登録情報を通知する際、前記配布作業者情報に基づいて通知先となる携帯通信端末４を選択して送信する。
【０１７３】
このように、請け負う可能性が比較的高い配布作業者が使用する携帯通信端末４にのみチラシ配布ジョブの登録情報を通知することで、請け負う可能性が低い配布作業者が使用する携帯通信端末４にチラシ配布ジョブの登録情報を通知する無駄な通知（通信）を回避することができる。
【０１７４】
また、本実施形態では、配布可能枚数分の広告チラシの印刷出力が行われた画像形成装置３から配布作業完了通知を受信することを条件として、配布完了枚数を更新する。これにより、配布作業者が故意に当該画像形成装置３の設置エリア（配布エリア）と異なる配布エリアで配布しようとするのを抑制させることができる。
【０１７５】
また、本実施形態では、画像形成装置３において請負情報で指定された配布可能枚数分の広告チラシの印刷出力を行わせる際に、該請負情報を記載した請負票Ｓを広告チラシＭとは別にその画像形成装置３に印刷出力させる。そして、請負票Ｓの印刷出力を行った画像形成装置３から請負票Ｓを読み取った画像データをチラシ配布作業完了通知として受信し、当該画像データに含まれる請負情報で指定された配布可能枚数分のチラシ配布作業が終了したことを検知して当該チラシ配布ジョブで指定された配布枚数のうちの配布完了枚数を更新する。
【０１７６】
これにより、配布作業者は、請負票Ｓを画像形成装置３にスキャンさせるだけで、どの配布作業者がどの配布エリアでどの広告チラシを配布したのかについての情報を広告サーバー５に提供することができ、ユーザー情報（ユーザーＩＤ及びパスワード）の入力作業を行わずに済む。
【０１７７】
また、チラシ配布作業が終了したことを検知する要因となった画像データ（請負票Ｓの画像データ）と同一画像データを再度受信した場合に、当該受信画像データに含まれる請負情報を再度受け付ける。これにより、再度の請負情報の入力手続きを簡単化することができる。
【０１７８】
また、本実施形態では、画像形成装置３において配布可能枚数分の広告チラシの印刷出力が行われてから所定時間経過後にチラシ配布作業完了通知を受信することを条件として当該チラシ配布作業が正常に終了したことを検知し、前記配布完了枚数を更新する。また、チラシ配布作業完了通知の受信に伴い、当該配布作業者の通信端末から移動履歴情報を取得し、該移動履歴情報に基づいて当該チラシ配布作業が正常に終了したことを検知して前記配布完了枚数を更新する。
【０１７９】
これらにより、作業の完了が通知されたチラシ配布作業が適切に実行された否かをより確実に検証することができる。
【０１８０】
また、本実施形態では、配布可能枚数分の広告チラシの印刷出力を画像形成装置３に行わせる際、当該配布可能枚数分のチラシ配布作業を請け負う配布作業者を識別する作業者識別情報を広告チラシに印刷させる。そして、画像形成装置３からファクシミリ送信される広告チラシの画像データを発注情報として受け付けた場合に、その画像データに含まれる作業者識別情報に基づいてチラシ配布作業者を特定する。
【０１８１】
これにより、広告チラシのファクシミリ送信によって掲載商品やサービスの注文がなされた場合でも、該広告チラシがどの配布作業者によって配布された者であるのかを容易に検出することができる。
【０１８２】
なお、前記実施形態では、広告配布システム１に登録されている画像形成装置３のうち、広告配布ジョブで指定された配布エリアに設置されている画像形成装置３にのみ、当該広告配布ジョブの登録情報を通知する。しかし、これに限定されず、全ての画像形成装置３に通知を行うようにしてもよい。
【０１８３】
また、前記実施形態では、広告サーバー５にチラシ配布ジョブが登録されると、広告サーバー５が配布作業者の携帯通信端末４に対して登録情報の通知を行う例について説明した。しかし、これに限られるものではなく、チラシ配布ジョブで指定された配布エリアで配布作業を行うことが可能な配布作業者に対する通知は、その配布エリアに設置された画像形成装置３が行うようにしても良い。この場合、チラシ配布ジョブが登録されると、広告サーバー５は、そのチラシ配布ジョブで指定された配布エリアに設定された画像形成装置３にのみ登録情報を通知することになる。そして登録情報の通知を受けた画像形成装置３によって、そのエリア内で配布作業を行うことができる配布作業者に対してジョブの登録が通知されるようになる。
【０１８４】
また、それとは反対に、広告サーバー５は、チラシ配布ジョブで指定された配布エリアで配布作業を行うことが可能な配布作業者の携帯通信端末４に対してだけ登録情報の通知を行うようにしても良い。この場合、チラシ配布ジョブが登録されると、広告サーバー５は、そのチラシ配布ジョブで指定された配布エリアで配布作業を行うことができる配布作業者に対してジョブの登録を通知することになる。そして通知を受けた配布作業者は、自身が配布作業を行うエリアに設置された画像形成装置３に移動して請負情報を入力することにより、配布作業を行うことができるようになる。
【符号の説明】
【０１８５】
１    広告配布システム
２    ジョブ登録装置
３    画像形成装置
３１  画像読取部（画像読取手段）
３３  操作パネル（請負情報入力操作手段）
３６３  入力情報送信部（請負情報送信手段）
４    携帯通信端末
５    広告サーバー（ジョブ管理サーバー）
５２  記憶部（ジョブ記憶手段、配布作業者情報記憶手段）
５３  制御部
５３１  チラシ配布ジョブ管理部（ジョブ受付手段、進捗状況管理手段、請負情報受付手段）
５３２  ＭＦＰ管理部（検知手段）
５３３  通知処理部（通知手段）
５３４  作業者管理部
５３５  画像解析部
５３６  印刷制御部（出力制御手段）
５３７  検証処理部
５３８  報酬処理部（報酬決定手段）
５３９  受注処理部（受注手段）
【図１】
2014232416.tif 000003
【図２】
2014232416.tif 000004
【図３】
2014232416.tif 000005
【図４】
2014232416.tif 000006
【図５】
2014232416.tif 000007
【図６】
2014232416.tif 000008
【図７】
2014232416.tif 000009
【図８】
2014232416.tif 000010
【図９】
2014232416.tif 000011
【図１０】
2014232416.tif 000012
【図１１】
2014232416.tif 000013
【図１２】
2014232416.tif 000014
【図１３】
2014232416.tif 000015
【図１４】
2014232416.tif 000016
【図１５】
2014232416.tif 000017
【図１６】
2014232416.tif 000018
【図１７】
2014232416.tif 000019
【図１８】
2014232416.tif 000020
【図１９】
2014232416.tif 000021
【図２０】
2014232416.tif 000022
【図２１】
2014232416.tif 000023
【図２２】
2014232416.tif 000024
【図２３】
2014232416.tif 000025
【図２４】
2014232416.tif 000026
【図２５】
2014232416.tif 000027